(57)【特許請求の範囲】
【請求項１】
（Ａ）成分：下記一般式（ａ−１）で表される繰り返し単位及び／又は下記一般式（ａ−２）で表される繰り返し単位と、下記一般式（ａ−３）で表される繰り返し単位と、を有するポリマー０．０１〜５質量％と、
（Ｂ）成分：第２級アルコールにエチレンオキシドを付加した第２級アルコールエトキシレート及びポリオキシエチレン脂肪酸メチルエステルから選択される少なくとも一種を含むノニオン界面活性剤１０〜４０質量％と、
（Ｃ）成分：直鎖アルキルベンゼンスルホン酸又はその塩、α−オレフィンスルホン酸塩、ポリオキシエチレンアルキルエーテル硫酸エステル塩、及びアルカンスルホン酸塩から選択される一種以上であるアニオン界面活性剤５〜２０質量％と、を含有することを特徴とする衣料用洗剤。
【化１】
0006501400.tif 000017
［式中、Ｒ１、Ｒ２は、それぞれ独立して炭素数１〜３のアルキル基または炭素数１〜３のヒドロキシアルキル基であり、Ｘ−は対イオンである。］
【化２】
0006501400.tif 000018
［式中、Ｒ３、Ｒ４は、それぞれ独立して炭素数１〜３のアルキル基または炭素数１〜３のヒドロキシアルキル基であり、Ｘ−は対イオンである。］
【化３】
0006501400.tif 000019
［式中、Ｒ５は、水素原子または炭素数１〜３のアルキル基であり、Ｒ６、Ｒ７は、それぞれ独立して、水素原子または炭素数１〜３のアルキル基もしくは炭素数１〜３のヒドロキシアルキル基である。］
【請求項２】
前記（Ｂ）成分／前記（Ｃ）成分で表される質量比が０．５〜２５であることを特徴とする請求項１に記載の衣料用洗剤。
【請求項３】
さらに、（Ｄ）成分：香料前駆体を含有することを特徴とする請求項１又は請求項２に記載の衣料用洗剤。
【請求項４】
さらに、（Ｅ）成分：下記一般式（ｅ−１）で表されるモノマーから誘導された繰り返し単位及び下記一般式（ｅ−２）で表されるモノマーから誘導された繰り返し単位より選ばれる１種以上の繰り返し単位を有するポリマーを含有することを特徴とする請求項１〜３のいずれか一項に記載の衣料用洗剤。
【化４】
0006501400.tif 000020
［前記式（ｅ−１）中、Ｒ５１は水素原子又はメチル基であり、Ｒ５２は水素原子又は炭
素数１〜９のアルキル基である。前記式（ｅ−２）中、Ｒ５３は水素原子又はメチル基であり、Ｒ５４は水素原子又は炭素数１０〜３０のアルキル基であり、Ｒ５５は水素原子又はカルボキシル基である。ただし、前記式（ｅ−２）中、Ｒ５５が水素原子のとき、Ｒ５４は炭素数１０〜３０のアルキル基であり、Ｒ５５がカルボキシル基のとき、Ｒ５４は水素原子である。］
【発明の詳細な説明】
【技術分野】
【０００１】
本発明は、衣料用洗剤に関する。
【背景技術】
【０００２】
従来、洗濯後の被洗物を乾かす方法として、室外で被洗物を干して乾かす「外干し」が行われてきたが、近年、大気汚染に対する懸念や、生活スタイルの変化に伴い、室内で被洗物を干して乾かす「部屋干し」が行われるようになってきた。
しかし、被洗物を部屋干しすると、外干しで得られるような、ふんわりとしたボリュームのある触感と、からっと乾いた触感とを同時に得られないという問題があった。
ふんわりとした触感を被洗物に付与するために、従来から柔軟剤入り洗剤が用いられており、例えば、アミドアミンや四級アンモニウム塩などのカチオン性を有する界面活性剤を配合した洗剤製品が上市されている。しかしながら、これらは、ふんわりとしたボリュームのある触感を付与する点では不充分であった。
また、特許文献１には、水不溶性シリコーン及び陽イオン性セルロースを含有し、柔軟性が高められた洗剤が開示されている。しかし、特許文献１に開示された洗剤は、ふんわりとしたボリュームのある触感を高めることはできるが、同時にしっとりとした触感を付与するため、からっと乾いた触感を想起させ難いという問題があった。さらに、水不溶性シリコーンや陽イオン性セルロース等の基材を液体洗剤に配合する場合には、液体洗剤中でこれらの基材が分離し、製剤の安定性が損なわれる場合があった。
【先行技術文献】
【特許文献】
【０００３】
【特許文献１】特表２００５−５３７４０８号公報
【発明の概要】
【発明が解決しようとする課題】
【０００４】
本発明は上記事情に鑑みてなされたものであり、ふんわりとしたボリュームのある触感と、からっと乾いた触感とを同時に付与できる衣料用洗剤を目的とする。
【課題を解決するための手段】
【０００５】
本発明者らは、鋭意検討した結果、以下の衣料用洗剤が、上記課題を解決できることを見出した。
すなわち本発明は、以下の構成を有する。
［１］（Ａ）成分：下記一般式（ａ−１）で表される繰り返し単位及び／又は下記一般式（ａ−２）で表される繰り返し単位と、下記一般式（ａ−３）で表される繰り返し単位と、を有するポリマー０．０１〜５質量％と、（Ｂ）成分：ノニオン界面活性剤と、（Ｃ）成分：高級脂肪酸塩を除くアニオン界面活性剤と、を含有することを特徴とする衣料用洗剤。
【化１】
0006501400.tif 000002
［式中、Ｒ１、Ｒ２は、それぞれ独立して炭素数１〜３のアルキル基または炭素数１〜３のヒドロキシアルキル基であり、Ｘ−は対イオンである。］
【化２】
0006501400.tif 000003
［式中、Ｒ３、Ｒ４は、それぞれ独立して炭素数１〜３のアルキル基または炭素数１〜３のヒドロキシアルキル基であり、Ｘ−は対イオンである。］
【化３】
0006501400.tif 000004
［式中、Ｒ５は、水素原子または炭素数１〜３のアルキル基であり、Ｒ６、Ｒ７は、それぞれ独立して、水素原子または炭素数１〜３のアルキル基もしくは炭素数１〜３のヒドロキシアルキル基である。］
［２］前記（Ｂ）成分／前記（Ｃ）成分で表される質量比が０．５〜２５であることを特徴とする［１］に記載の衣料用洗剤。
［３］さらに、（Ｄ）成分：香料前駆体を含有することを特徴とする［１］又は［２］に記載の衣料用洗剤。
［４］さらに、（Ｅ）成分：下記一般式（ｅ−１）で表されるモノマーから誘導された繰り返し単位及び下記一般式（ｅ−２）で表されるモノマーから誘導された繰り返し単位より選ばれる１種以上の繰り返し単位を有するポリマーを含有することを特徴とする［１］〜［３］のいずれかに記載の衣料用洗剤。
【化４】
0006501400.tif 000005
［前記式（ｅ−１）中、Ｒ５１は水素原子又はメチル基であり、Ｒ５２は水素原子又は炭素数１〜９のアルキル基である。前記式（ｅ−２）中、Ｒ５３は水素原子又はメチル基であり、Ｒ５４は水素原子又は炭素数１０〜３０のアルキル基であり、Ｒ５５は水素原子又はカルボキシル基である。ただし、前記式（ｅ−２）中、Ｒ５５が水素原子のとき、Ｒ５４は炭素数１０〜３０のアルキル基であり、Ｒ５５がカルボキシル基のとき、Ｒ５４は水素原子である。］
【発明の効果】
【０００６】
本発明の衣料用洗剤は、洗濯後の被洗物に対し、ふんわりとしたボリュームのある触感を付与でき、且つ、からっと乾いた触感を付与できる。
【発明を実施するための形態】
【０００７】
＜洗剤＞
本発明の洗剤は、（Ａ）〜（Ｃ）成分を含有する組成物である。
本発明の洗剤の剤形は、液体であってもよく、粉末等の固体であってもよい。
【０００８】
＜（Ａ）成分＞
（Ａ）成分は、下記一般式（ａ−１）で表される繰り返し単位及び／又は下記一般式（ａ−２）で表される繰り返し単位と、下記一般式（ａ−３）で表される繰り返し単位と、を有するポリマーである。本発明の衣料用洗剤は、（Ａ）成分を含有することで、洗濯後の被洗物に対して、ふんわりとしたボリュームのある触感、及び、からっと乾いた触感を付与できる。
【０００９】
【化５】
0006501400.tif 000006
［式中、Ｒ１、Ｒ２は、それぞれ独立して炭素数１〜３のアルキル基または炭素数１〜３のヒドロキシアルキル基であり、Ｘ−は対イオンである。］
【００１０】
【化６】
0006501400.tif 000007
［式中、Ｒ３、Ｒ４は、それぞれ独立して炭素数１〜３のアルキル基または炭素数１〜３のヒドロキシアルキル基であり、Ｘ−は対イオンである。］
【００１１】
【化７】
0006501400.tif 000008
［式中、Ｒ５は、水素原子または炭素数１〜３のアルキル基であり、Ｒ６、Ｒ７は、それぞれ独立して、水素原子または炭素数１〜３のアルキル基もしくは炭素数１〜３のヒドロキシアルキル基である。］
【００１２】
なお、上記一般式（ａ−１）で表される繰り返し単位及び／又は上記一般式（ａ−２）で表される繰り返し単位は、下記一般式（ａ−４）で表されるジアルキルジアリルアンモニウム塩モノマーに由来する繰り返し単位である。
【化８】
0006501400.tif 000009
［式中、Ｒ８、Ｒ９は、それぞれ独立して、炭素数１〜３のアルキル基または炭素数１〜３のヒドロキシアルキル基であり、Ｘ−は対イオンである。］
【００１３】
上記一般式（ａ−１）、（ａ−２）及び（ａ−４）におけるＸ−としては、塩素イオン、臭素イオン等のハロゲンイオン、硫酸イオン、硝酸イオン、亜硫酸イオン等の無機酸イオン、メチル硫酸イオン、酢酸イオン、乳酸イオン等の有機酸イオン等が挙げられる。
【００１４】
（Ａ）成分の重量平均分子量は、通常１，０００〜５，０００，０００であり、３，０００〜２，０００，０００が好ましく、１０，０００〜２,０００，０００がより好ましい。なお、本明細書における重量平均分子量は、ポリエチレングリコールを標準物質として、ゲル浸透クロマトグラフィー（ＧＰＣ）により求めた値を意味する。
【００１５】
（Ａ）成分の重合の形態は、特に限定されず、ブロック重合、ランダム重合又はグラフト重合のいずれであってもよい。
（Ａ）成分中の（ａ−１）で表される繰り返し単位及び／又は（ａ−２）で表される繰り返し単位と、（ａ−３）で表される繰り返し単位との含有比は特に限定されないが、（ａ−１）で表される繰り返し単位及び／又は（ａ−２）で表される繰り返し単位と、（ａ−３）で表される繰り返し単位とのモル比が、［（ａ−１）で表される繰り返し単位及び／又は（ａ−２）で表される繰り返し単位］：（ａ−３）で表される繰り返し単位＝１：９〜７：３が好ましく、２：８〜６：４がより好ましい。
【００１６】
上記一般式（ａ−１）で表される繰り返し単位及び／又は上記一般式（ａ−２）で表される繰り返し単位と、上記一般式（ａ−３）で表される繰り返し単位とを有するポリマーとしては、ジアリルジメチルアンモニウムクロライド・アクリルアミドコポリマー、ジアリルジメチルアンモニウムクロライド・アクリルアミド・アクリル酸ターポリマー等が挙げられる。
これらのポリマーとしては、合成品を用いてもよいし、市販品を用いてもよい。
【００１７】
上記ポリマーは、特に限定されないが、通常のラジカル重合により製造できる。例えば、ジアリルジメチルアンモニウムクロライドや、アクリルアミド等の（Ａ）成分を構成するモノマーを、塊状重合、溶液重合、乳化重合、懸濁重合等の重合方法により重合することで製造できる。また、重合の際には、通常のラジカル重合に用いられる重合開始剤を使用することが好ましく、例えば、ベンゾイルパーオキサイド、過硫酸カリウム等の過酸化物、アゾビスイソブチロニトリル、アゾビスシアノ吉草酸等のアゾ化合物を用いることができる。
【００１８】
上記コポリマーの市販品としては、例えばＬｕｂｒｉｚｏｌ社製の商品名「マーコート５５０」、「マーコート７４０」、「マーコート２２００」等が挙げられる。
また、上記ターポリマーの市販品としては、例えばＬｕｂｒｉｚｏｌ社製の商品名「マーコート３３３０」、「マーコート３９４０」等が挙げられる。
これらの（Ａ）成分は、１種が単独で用いられても、２種以上が組み合わされて用いられてもよい。
【００１９】
（Ａ）成分の含有量は、衣料用洗剤の総質量に対して、０．０１〜５質量％であり、０．０５〜３質量％が好ましく、０．１〜２質量％がより好ましい。（Ａ）成分の含有量が、０．０１質量％未満では、ふんわりとしたボリュームのある触感を充分に付与できない。また、（Ａ）成分の含有量が、５質量％を超えると、からっと乾いた触感を充分に付与できない。また、液体洗剤とした場合の製剤安定性が損なわれるおそれがある。
【００２０】
＜（Ｂ）成分＞
（Ｂ）成分は、ノニオン界面活性剤である。（Ｂ）成分は、衣料用洗剤に洗浄力を付与するために用いられる。
【００２１】
（Ｂ）成分としては、特に限定されないが、例えば炭素数８〜２２のアルコール、アルキルフェノール、炭素数８〜２２の脂肪酸又は炭素数８〜２２のアミン等にアルキレンオキシドを付加したポリオキシアルキレン型ノニオン界面活性剤、ポリオキシエチレンポリオキシプロピレンブロックコポリマー、脂肪酸アルカノールアミン、脂肪酸アルカノールアミド、多価アルコール脂肪酸エステル又はそのアルキレンオキシド付加体、多価アルコール脂肪酸エーテル、アルキル（又はアルケニル）アミンオキサイド、硬化ヒマシ油のアルキレンオキシド付加体、糖脂肪酸エステル、Ｎ−アルキルポリヒドロキシ脂肪酸アミド、アルキルグリコシド等が挙げられる。これらは、いずれか１種が単独で用いられても、２種以上が組み合わされて用いられてもよい。
【００２２】
上記のなかでも、液体洗剤とした場合の粘度及び外観安定性の点から、ポリオキシアルキレン型ノニオン界面活性剤が好ましい。
ポリオキシアルキレン型ノニオン界面活性剤としては、例えば、下記一般式（ｂ−１）で表される化合物（以下、化合物（ｂ１）という。）が挙げられる。
Ｒ１１−Ｘ−（ＥＯ）ｓ（ＰＯ）ｔ−Ｒ１２  ・・・（ｂ−１）
［式中、Ｒ１１は炭素数８〜２２の炭化水素基であり、−Ｘ−は２価の連結基であり、Ｒ１２は水素原子、炭素数１〜６のアルキル基または炭素数２〜６のアルケニル基である。ＥＯはオキシエチレン基であり、ｓはＥＯの平均繰り返し数（即ち、エチレンオキシドの平均付加モル数）を表し、３〜２０の数である。ＰＯはオキシプロピレン基であり、ｔはＰＯの平均繰り返し数（即ち、プロピレンオキシドの平均付加モル数）を表し、０〜６の数である。］
【００２３】
式（ｂ−１）中、Ｒ１１の炭素数は、８〜２２であり、１０〜１８が好ましく、１２〜１８がより好ましい。Ｒ１１は、直鎖でも分岐鎖でもよく、また、不飽和結合を有していても有していなくてもよい。
−Ｘ−の２価の連結基としては、−Ｏ−、−ＣＯＯ−、−ＣＯＮＨ−等が挙げられる。
Ｒ１２におけるアルキル基の炭素数は、１〜６であり、１〜３が好ましい。Ｒ１２におけるアルケニル基の炭素数は、２〜６であり、２または３が好ましい。
【００２４】
−Ｘ−が−Ｏ−、−ＣＯＯ−または−ＣＯＮＨ−である化合物（ｂ１）は、１級または２級の炭素数８〜２２のアルコール（Ｒ１１−ＯＨ）、炭素数８〜２２の脂肪酸（Ｒ１１−ＣＯＯＨ）または炭素数８〜２２の脂肪酸アミド（Ｒ１１−ＣＯＮＨ２）［以下、これらをまとめて「高級アルコール等」と記載することがある］に、エチレンオキシド、またはエチレンオキシドとプロピレンオキシドとを付加して得ることができる。
【００２５】
ｓは３〜２０の数であり、５〜１８の数が好ましい。ｓが２０超であると、皮脂に対する洗浄効果が充分に得られなくなるおそれがある。また、ｓが３未満であると、臭気の劣化防止の効果が低下する傾向にある。
ｔは０〜６の数であり、０〜３の数が好ましい。ｔが６超であると、液体洗剤とした場合の高温下での保存安定性が低下するおそれがある。
ｔが１以上の場合、つまり化合物（ｂ１）が、エチレンオキシドおよびプロピレンオキシドの両方が付加された付加体である場合、エチレンオキシドおよびプロピレンオキシドの付加方法は、特に限定されず、例えばランダム付加でも、ブロック付加でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレンオキシドを付加し、さらにエチレンオキシドを付加する方法等が挙げられる。
【００２６】
エチレンオキシドまたはプロピレンオキシドの付加モル数分布は特に限定されず、アルカリ触媒を用いて、高級アルコール等にエチレンオキシドやプロピレンオキシドを付加させた、エチレンオキシドまたはプロピレンオキシドの付加モル数分布が比較的広い分布となるものや、特公平６−１５０３８号公報に記載の金属イオンを添加した酸化マグネシウム等のアルコキシル化触媒を用いて、高級アルコール等にエチレンオキシドやプロピレンオキシドを付加させた、エチレンオキシドまたはプロピレンオキシドの付加モル数分布が比較的狭い分布となるものを使用できる。
【００２７】
化合物（ｂ１）としては、特に、−Ｘ−が−Ｏ−である化合物（アルキル（アルケニル）エーテル型ノニオン界面活性剤）、または−Ｘ−が−ＣＯＯ−でありＲ１２が炭素数１〜６のアルキル基または炭素数２〜６のアルケニル基である化合物（脂肪酸アルキル（アルケニル）エステル型ノニオン界面活性剤）が好ましい。
式（ｂ１）中の−Ｘ−が−Ｏ−である場合、Ｒ１１の炭素数は１０〜２２が好ましく、１０〜２０がより好ましく、１０〜１８が特に好ましい。Ｒ１２は、水素原子であることが好ましい。
式（ｂ１）中の−Ｘ−が−ＣＯＯ−である場合、Ｒ１１の炭素数は９〜２１が好ましく、１１〜２１がより好ましい。Ｒ１２は炭素数１〜６のアルキル基または炭素数２〜６のアルケニル基が好ましく、炭素数１〜３のアルキル基がより好ましい。
【００２８】
−Ｘ−が−Ｏ−または−ＣＯＯ−である化合物の具体例としては、三菱化学社製の商品名ダイヤドール（Ｃ１３、Ｃは炭素数を示し以下同様である）、Ｓｈｅｌｌ社製の商品名Ｎｅｏｄｏｌ（Ｃ１２／Ｃ１３）、Ｓａｓｏｌ社製の商品名Ｓａｆｏｌ２３（Ｃ１２／Ｃ１３）等のアルコールに対して、１２モル相当または１５モル相当のエチレンオキシドを付加したノニオン界面活性剤；Ｐ＆Ｇ社製の商品名ＣＯ−１２１４やＣＯ−１２７０等の天然アルコールに対して、１２モル相当または１５モル相当のエチレンオキシドを付加したノニオン界面活性剤；ブテンを３量化して得られるＣ１２アルケンをオキソ法に供して得られるＣ１３アルコールに対して、７モル相当のエチレンオキシドを付加したノニオン界面活性剤（ＢＡＳＦ社製、商品名Ｌｕｔｅｎｓｏｌ  ＴＯ７）；ペンタノールをガーベット反応に供して得られるＣ１０アルコールに対して、７モル相当のエチレンオキシドを付加したノニオン界面活性剤（ＢＡＳＦ社製、商品名Ｌｕｔｅｎｓｏｌ  ＸＬ７０）；ペンタノールをガーベット反応に供して得られるＣ１０アルコールに対して、６モル相当のエチレンオキシドを付加したノニオン界面活性剤（ＢＡＳＦ社製、商品名Ｌｕｔｅｎｓｏｌ  ＸＡ６０）；炭素数１２〜１４の第２級アルコールに対して、９モル相当または１５モル相当のエチレンオキシドを付加したノニオン界面活性剤（日本触媒社製、商品名ソフタノール９０やソフタノール１５０）；ヤシ脂肪酸メチル（ラウリン酸／ミリスチン酸＝８／２）に対して、アルコキシル化触媒を用いて、１５モル相当のエチレンオキシドを付加したノニオン界面活性剤（ポリオキシエチレンヤシ脂肪酸メチルエステルＥＯ１５モル）等が挙げられる。
【００２９】
化合物（ｂ１）としては、上記の中でも、−Ｘ−が−ＣＯＯ−でありＲ１２が炭素数１〜６のアルキル基であり、ｔが０である化合物、すなわちポリオキシエチレン脂肪酸アルキルエステルが好ましく、Ｒ１２がメチル基であるポリオキシエチレン脂肪酸メチルエステル（以下、「ＭＥＥ」と記載することがある）が特に好ましい。
【００３０】
ポリオキシエチレン脂肪酸アルキルエステルを含有することにより、本発明の衣料用洗剤は、水への溶解性に優れ、高い洗浄力が得られやすいものとなる。また、本発明の衣料用洗剤を液体洗剤とした場合には、高濃度の界面活性剤を含有しても粘度の著しい増大（ゲル化）が生じにくく、良好な流動性を有する濃縮型とすることができる。
ポリオキシエチレン脂肪酸アルキルエステル、特にＭＥＥは、水溶液系中で分子どうしの配向性が弱く、ミセルが不安定なノニオン界面活性剤であるため、高濃度でゲル化等が生じず、１種単独で多量に液体洗浄剤中に配合することができると推測される。また水への溶解性が向上すると推測される。さらに、高濃度での良好な流動性に寄与していると考えられる。したがって、ポリオキシエチレン脂肪酸アルキルエステルが洗濯機槽内の水中へ投入された場合、洗濯液中のポリオキシエチレン脂肪酸アルキルエステルの濃度は早く均一となり、洗浄初期から所定の濃度で被洗物と接することができるため、高い洗浄力が得られると考えられる。
【００３１】
ポリオキシエチレン脂肪酸アルキルエステルにおいて、オキシエチレン基の繰り返し数が異なる化合物（エチレンオキシド付加体）の分布の割合を示すナロー率は、２０質量％以上が好ましい。ナロー率の上限値は実質的には８０質量％以下が好ましい。当該ナロー率は、２０〜５０質量％がより好ましく、保存安定性と水に対する溶解性のさらなる向上を図る観点から、３０〜４５質量％がさらに好ましい。
当該ナロー率が高いほど、良好な洗浄力が得られやすくなる。また、当該ナロー率が２０質量％以上、特に３０質量％以上であると、化合物（ｂ１）由来の原料臭気の少ない衣料用洗剤が得られやすくなる。これは、ナロー率が高い化合物（ｂ１）には、その原料である脂肪酸アルキルエステルと、ｓが１または２のエチレンオキシド付加体とが少ないためである。原料臭気の少ない衣料用洗剤を得る点からは、前記脂肪酸アルキルエステルと、ｓが１または２のエチレンオキシド付加体との合計の含有量が、ポリオキシエチレン脂肪酸アルキルエステルの全量に対して、０．５質量％以下が好ましく、０．２質量％以下がより好ましい。
【００３２】
ポリオキシエチレン脂肪酸アルキルエステルの「ナロー率」は、下記式（Ｓ）で示され、オキシエチレン基の繰り返し数が異なるエチレンオキシド付加体の分布の割合を示すものである。
【００３３】
【数１】
0006501400.tif 000010
【００３４】
前記（Ｓ）式中、ｍｍａｘは、エチレンオキシド付加体中に最も多く存在するエチレンオキシド付加体のオキシエチレン基の繰り返し数を示す。ｉはオキシエチレン基の繰り返し数を示す。Ｙｉは全エチレンオキシド付加体中に存在する、オキシエチレン基の繰り返し数がｉであるエチレンオキシド付加体の割合（質量％）を示す。
なお、前記ナロー率は、例えば、ポリオキシエチレン脂肪酸アルキルエステルの製造方法等によって制御することができる。
【００３５】
（Ｂ）成分は、いずれか１種が単独で用いられても、２種以上が組み合わされて用いられてもよい。
（Ｂ）成分の含有量は、特に限定されないが、１回あたりの洗濯に使用する洗剤使用量が少量ですみ、洗剤製品としてコンパクトにできるといった利点が得られることから、（Ｂ）成分を高濃度で配合することが好ましい。この場合、（Ｂ）成分としては、ゲル化領域が小さく、高濃度で配合しやすい点から、第２級アルコールにエチレンオキシドを付加した第２級アルコールエトキシレート（例えば日本触媒社製のソフタノールシリーズ）や、ＭＥＥを用いることが好ましい。また、これらを、第１級アルコールにエチレンオキシドを付加した第１級アルコールエトキシレートと併用してもよい。
上記ＭＥＥとしては、炭素数８〜２１（好ましくは炭素数１０〜２０、より好ましくは炭素数１０〜１８）の直鎖状もしくは分岐鎖状のアルキル基又はアルケニル基を有し、平均ＥＯ付加モル数５〜３０（好ましくはＥＯ付加モル数１０〜２０、より好ましくはＥＯ付加モル数１２〜１６）であるものが好ましい。
（Ｂ）成分としてＭＥＥを用いることで、高濃度で配合した場合でもゲル化が生じにくい。また、ふんわりとしたボリュームのある触感、及び、からっと乾いた触感の付与効果も高められやすくなる。
【００３６】
（Ｂ）成分の含有量は、衣料用洗剤の総質量に対して、１０〜５０質量％が好ましく、１０〜４０質量％がより好ましく、１５〜３０質量％がさらに好ましい。（Ｂ）成分の含有量が、上記下限値以上であれば、洗浄力がより高められやすくなる。また、（Ｂ）成分の含有量が、上記上限値以下であれば、液体洗剤とした場合の増粘を抑制でき、製剤安定性がより高められやすくなる。
【００３７】
＜（Ｃ）成分＞
（Ｃ）成分は、高級脂肪酸塩を除くアニオン界面活性剤である。（Ｃ）成分は、衣料用洗剤に洗浄力を付与するために用いられる。
なお、本発明において、高級脂肪酸塩とは、炭素数８〜２２の脂肪酸塩を意味する。
【００３８】
（Ｃ）成分としては、衣料用等の洗剤に通常用いられているアニオン界面活性剤を用いることができる。
（Ｃ）成分としては、例えば、直鎖アルキルベンゼンスルホン酸又はその塩；α−オレフィンスルホン酸塩；直鎖または分岐鎖のアルキル硫酸エステル塩；アルキルエーテル硫酸エステル塩またはアルケニルエーテル硫酸エステル塩；アルキル基を有するアルカンスルホン酸塩；α−スルホ脂肪酸エステル塩；アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩、マグネシウム等のアルカリ土類金属塩、モノエタノールアミン塩、ジエタノールアミン塩などのアルカノールアミン塩等が挙げられる。
【００３９】
上記のうち、直鎖アルキルベンゼンスルホン酸又はその塩としては、直鎖アルキル基の炭素数が８〜１６のものが好ましく、炭素数１０〜１４のものが特に好ましい。
α−オレフィンスルホン酸塩としては、炭素数１０〜２０のものが好ましい。
アルキル硫酸エステル塩としては、炭素数１０〜２０のものが好ましい。
アルキルエーテル硫酸エステル塩またはアルケニルエーテル硫酸エステル塩としては、炭素数１０〜２０の直鎖または分岐鎖のアルキル基もしくはアルケニル基を有し、平均１〜１０モルのエチレンオキシドと、平均０〜６モルのプロピレンオキシドを付加したポリオキシアルキレンアルキルエーテル硫酸エステル塩またはポリオキシアルキレンアルケニルエーテル硫酸エステル塩が好ましい。前記ポリオキシアルキレンアルキルエーテル硫酸エステル塩またはポリオキシアルキレンアルケニルエーテル硫酸エステル塩が、エチレンオキシドとプロピレンオキシドの両方が付加された付加体である場合、エチレンオキシドおよびプロピレンオキシドの付加方法は、特に限定されず、例えばランダム付加でも、ブロック付加でもよい。ブロック付加方法としては、例えば、エチレンオキシドを付加した後、プロピレンオキシドを付加する方法、プロピレンオキシドを付加した後、エチレンオキシドを付加する方法、エチレンオキシドを付加した後、プロピレンオキシドを付加し、さらにエチレンオキシドを付加する方法等が挙げられる。
アルカンスルホン酸塩としては、炭素数１０〜２０のものが好ましく、１４〜１７のものがより好ましい。また、該アルキル基が２級アルキル基である２級アルカンスルホン酸塩が好ましい。
α−スルホ脂肪酸エステル塩としては、炭素数１０〜２０のα−スルホ脂肪酸エステル塩が好ましい。
【００４０】
これらの中でも、ハンドリング性や再汚染防止性に優れることから、直鎖アルキルベンゼンスルホン酸又はその塩、α−オレフィンスルホン酸塩、ポリオキシエチレンアルキルエーテル硫酸エステル塩、アルカンスルホン酸塩が好ましく、直鎖アルキルベンゼンスルホン酸又はその塩が特に好ましい。
【００４１】
（Ｃ）成分は、いずれか１種が単独で用いられても、２種以上が組み合わされて用いられてもよい。
（Ｃ）成分の含有量は、衣料用洗剤の総質量に対して、２〜２０質量％が好ましく、５〜２０質量％がより好ましく、８〜１５質量％がさらに好ましい。（Ｃ）成分の含有量が、上記好ましい範囲であると、再汚染防止性効果及び（Ａ）成分の分散安定性を高めやすくなる。
【００４２】
（Ｂ）成分／（Ｃ）成分で表される質量比［（Ｃ）成分の含有量に対する、（Ｂ）成分の含有量の質量割合、以下「Ｂ／Ｃ比」ともいう］は、０．２〜５０であることが好ましく、０．５〜２５であることがより好ましい。Ｂ／Ｃ比が、上記下限値以上であると、皮脂に対する洗浄効果を高めやすくなる。また、Ｂ／Ｃ比が、上記上限値以下であると、再汚染防止効果を高めやすくなる。また、（Ａ）成分の分散安定性を高めやすくなり、液体洗剤にした場合に、該洗剤に濁りが生じるのを抑制しやすくなる。
【００４３】
｛（Ｂ）成分＋（Ｃ）成分｝／（Ａ）成分で表される質量比［（Ａ）成分の含有量に対する、（Ｂ）成分と（Ｃ）成分の合計含有量の質量割合、以下「（Ｂ＋Ｃ）／Ａ比」ともいう］は、１０〜３００が好ましく、１５〜２００がより好ましく、２０〜１５０がさらに好ましい。（Ｂ＋Ｃ）／Ａ比が、上記下限値以上であると、（Ａ）成分の分散安定性が高められやすい。また、（Ｂ＋Ｃ）／Ａ比が、上記上限値以下であると、界面活性剤に対する（Ａ）成分の含有割合が適度となり、ふんわりとしたボリュームのある触感と、からっと乾いた触感とをより付与しやすくなる。
【００４４】
本発明の衣料用洗剤は、上記（Ａ）〜（Ｃ）成分以外に、更に下記の成分を含有することができる。
【００４５】
＜（Ｄ）成分＞
（Ｄ）成分は、香料前駆体である。ここで、香料前駆体とは、それ自体は無臭又は無臭に近いものであるが、液体洗剤中で、又は繊維上で、酸化反応等によって香りを発生するものである。
本発明の衣料用洗剤は、（Ｄ）成分を含有することで、洗濯処理・乾燥後の被洗物から感じられる香りの強さ（香気強度）がより高められる。これにより、洗濯後の被洗物のふんわりとしたボリュームのある触感、及び、からっと乾いた触感の実感効果をより高められる。さらに、（Ｄ）成分由来の香気が徐々に放出されることで、前記実感効果をより持続させられる。
【００４６】
（Ｄ）成分としては、特に限定されず、衣料用洗剤等の洗浄剤に一般的に用いられているものを用いることができる。
本発明において、（Ｄ）成分は、（Ｄ）成分の種類等に応じて適宜選択すればよく、例えば硫黄を含有する香料前駆体（硫黄含有香料前駆体）が挙げられる。
硫黄含有香料前駆体としては、例えば、下記一般式（ｄ−１）で表される化合物が挙げられる。
【００４７】
Ｊ−Ｓ−Ｇ−Ｑ  ・・・（ｄ−１）
ただし、式（ｄ−１）中、Ｊは、下記化学式（Ｊ−１）〜（Ｊ−７）でそれぞれ表される基、及びこれらの異性体からなる群より選択される少なくとも１種の基を表す。下記化学式（Ｊ−１）〜（Ｊ−７）中、波線は、Ｓと結合する結合手を表す。下記化学式（Ｊ−１）〜（Ｊ−２）中、点線は、点線が設けられている炭素原子間の結合の１つ以上が二重結合であることを意味する。下記化学式（Ｊ−４）中、ｊは、０〜２０の整数を表す。
Ｓは、硫黄原子である。
Ｇは、置換基を有していてもよい炭素数２〜１５の直鎖状又は炭素数２〜１５の分岐鎖状の炭化水素基を表す。
Ｑは、−Ｓ−Ｊで表される基、−ＮＲ６１−Ｊで表される基又は水素原子である。ただし、前記−Ｓ−Ｊで表される基におけるＳは硫黄原子であり、Ｊは下記化学式（Ｊ−１）〜（Ｊ−７）でそれぞれ表される基、及びこれらの異性体からなる群より選択される少なくとも１種の基を表す。前記−ＮＲ６１−Ｊで表される基におけるＮは窒素原子であり、Ｊは前記−Ｓ−Ｊで表される基におけるＪと同じであり、Ｒ６１は水素原子又はメチル基である。
【００４８】
【化９】
0006501400.tif 000011
【００４９】
上記式（ｄ−１）中のＪにおける「これらの異性体」は、化学式（Ｊ−１）〜（Ｊ−７）でそれぞれ表される基が化学構造上とりえる異性体であり、例えば立体異性体等である。
上記化学式（Ｊ−４）中、ｊは、０〜２０の整数（ｊが０のとき（Ｊ−４）は５員環である）であり、５〜１５の整数が好ましい。
上記式（ｄ−１）におけるＪとしては、上記化学式（Ｊ−１）で表される基、上記化学式（Ｊ−２）で表される基が好ましい。
上記式（ｄ−１）中、Ｇは、飽和炭化水素基でもよいし不飽和炭化水素基でもよい。Ｇとしては、アルキル基又はアルケニル基が好ましく、直鎖状のアルキル基がより好ましい。Ｇにおける炭化水素基の炭素数は、１０〜１４が好ましい。Ｇにおける炭化水素基の有する置換基としては、例えば、−ＯＲ６２、−Ｎ（Ｒ６２）２、−ＣＯＯＲ６２（前記Ｒ６２は、それぞれ、炭素数１〜６のアルキル基もしくは炭素数１〜６のアルケニル基又は水素原子を表す）等が挙げられる。
【００５０】
好ましい（Ｄ）成分としては、例えば、メチル又はエチル２−（４−オキソ−４−（２，６，６−トリメチルシクロヘキサ−３−エン−１−イル）ブタン−２−イルアミノ）−３−（４−オキソ−４−（２，６，６−トリメチルシクロヘキサ−３−エン−１−イル）ブタン−２−イルチオ）プロパネート、メチル又はエチル２−（４−オキソ−４−（２，６，６−トリメチルシクロヘキサ−２−エン−１−イル）ブタン−２−イルアミノ）−３−（４−オキソ−４−（２，６，６−トリメチルシクロヘキサ−２−エン−１−イル）ブタン−２−イルチオ）プロパネート、メチル又はエチル２−（２−オキソ−４−（２，６，６−トリメチルシクロヘキサ−１−エン−１−イル）ブタン−４−イルアミノ）−３−（２−オキソ−４−（２，６，６−トリメチルシクロヘキサ−１−エン−１−イル）ブタン−４−イルチオ）プロパネート、メチル又はエチル２−（２−オキソ−４−（２，６，６−トリメチルシクロヘキサ−２−エン−１−イル）ブタン−４−イルアミノ）−３−（２−オキソ−４−（２，６，６−トリメチルシクロヘキサ−２−エン−１−イル）ブタン−４−イルチオ）プロパネート、３−（ドデシルチオ）−１−（２，６，６−トリメチルシクロヘキサ−３−エン−１−イル）−１−ブタノン、３−（ドデシルチオ）−１−（２，６，６−トリメチルシクロヘキサ−２−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン、２−ドデシルスルファニル−５−メチル−ヘプタン−４−オン、２−シクロヘキシル−１−ドデシルスルファニル−ヘプト−６−エン−３−オン、３−（ドデシルチオ）−５−イソプロペニル−２−メチルシクロヘキサノン等が挙げられる。
これらの中でも、香りの持続性を高める観点から、３−（ドデシルチオ）−１−（２，６，６−トリメチルシクロヘキサ−３−エン−１−イル）−１−ブタノン、４−（ドデシルチオ）−４−（２，６，６−トリメチルシクロヘキサ−２−エン−１−イル）−２−ブタノン、４−（ドデシルチオ）−４−（２，６，６−トリメチルシクロヘキサ−１−エン−１−イル）−２−ブタノン及び３−（ドデシルチオ）−５−イソプロペニル−２−メチルシクロヘキサノンからなる群より選択される少なくとも１種の化合物が好ましい。
その中でも、３−（ドデシルチオ）−１−（２，６，６−トリメチルシクロヘキサ−３−エン−１−イル）−１−ブタノン及び４−（ドデシルチオ）−４−（２，６，６−トリメチルシクロヘキサ−２−エン−１−イル）−２−ブタノンからなる群より選択される少なくとも１種の化合物が特に好ましい。
【００５１】
（Ｄ）成分は、市場において容易に入手可能であり、また、公知の方法によっても合成可能である。
（Ｄ）成分は、いずれか１種が単独で用いられてもよいし、２種以上が組み合わされて用いられてもよい。
本発明の衣料用洗剤が（Ｄ）成分を含有する場合、衣料用洗剤中の（Ｄ）成分の含有量は、衣料用洗剤の総質量に対して、０．０００１〜３質量％が好ましく、０．００１〜０．５質量％がより好ましく、０．００６〜０．２質量％がさらに好ましく、０．０１〜０．１質量％が特に好ましい。
（Ｄ）成分の含有量が、前記の好ましい下限値以上であると、香気強度がより高められるとともに、香気維持性がより高められる。一方、前記の好ましい上限値を超えると、香りが強く残りすぎるおそれがある。
【００５２】
＜（Ｅ）成分＞
（Ｅ）成分は、下記一般式（ｅ−１）で表されるモノマー（以下、「モノマー（ｅ１）」ともいう。）から誘導された繰り返し単位及び下記一般式（ｅ−２）で表されるモノマー（以下、「モノマー（ｅ２）」ともいう。）から誘導された繰り返し単位より選ばれる１種以上の繰り返し単位を有するポリマーである。本発明の衣料用洗剤は、（Ｅ）成分を含有することで、汚れの再付着を防止する効果が高められる。
【００５３】
【化１０】
0006501400.tif 000012
［前記式（ｅ−１）中、Ｒ５１は水素原子又はメチル基であり、Ｒ５２は水素原子又は炭素数１〜９のアルキル基である。前記式（ｅ−２）中、Ｒ５３は水素原子又はメチル基であり、Ｒ５４は水素原子又は炭素数１０〜３０のアルキル基であり、Ｒ５５は水素原子又はカルボキシル基である。ただし、前記式（ｅ−２）中、Ｒ５５が水素原子のとき、Ｒ５４は炭素数１０〜３０のアルキル基であり、Ｒ５５がカルボキシル基のとき、Ｒ５４は水素原子である。］
【００５４】
［モノマー（ｅ１）］
上記式（ｅ−１）中、Ｒ５２のアルキル基は、直鎖状でもよいし分岐鎖状でもよい。また、環状構造を含んでもよい。Ｒ５２のアルキル基の炭素数は、１〜８が好ましく、１〜４がより好ましい。
モノマー（ｅ１）としては、例えば、アクリル酸；アクリル酸メチル、アクリル酸エチル、アクリル酸ｎ−プロピル、アクリル酸ｎ−ブチル等のアクリル酸エステル；メタクリル酸；メタクリル酸メチル、メタクリル酸エチル、メタクリル酸ｎ−プロピル、メタクリル酸ｎ−ブチル等のメタクリル酸エステル等が挙げられる。
モノマー（ｅ１）は、１種が単独で用いられてもよいし、２種以上が組み合わされて用いられてもよい。
【００５５】
［モノマー（ｅ２）］
上記式（ｅ−２）中、Ｒ５４のアルキル基は、直鎖状でもよいし分岐鎖状でもよい。また、環状構造を含んでいてもよい。Ｒ５４のアルキル基の炭素数は、１０〜２５が好ましく、１０〜２０がより好ましい。
上記式（ｅ−２）において、Ｒ５５が水素原子、Ｒ５４が炭素数１０〜３０のアルキル基であるモノマー（ｅ２）としては、例えば、アクリル酸デシル、アクリル酸ドデシル、アクリル酸テトラデシル、アクリル酸ヘキサデシル、アクリル酸オクタデシル、メタクリル酸デシル、メタクリル酸ドデシル、メタクリル酸テトラデシル、メタクリル酸ヘキサデシル、メタクリル酸オクタデシル等が挙げられる。上記式（ｅ−２）において、Ｒ５５がカルボキシル基、Ｒ５４が水素原子であるモノマー（ｅ２）としては、例えば、マレイン酸、フマル酸等が挙げられる。Ｒ５５がカルボキシル基、Ｒ５４が水素原子であるモノマー（ｅ２）としては、マレイン酸が好ましい。
モノマー（ｅ２）は、１種が単独で用いられてもよいし、２種以上が組み合わされて用いられてもよい。
【００５６】
（Ｅ）成分は、架橋されたポリマーでもよいし、架橋されていないポリマーでもよい。
前記架橋されたポリマーとしては、例えば、架橋剤により架橋された高分子架橋体が挙げられる。前記架橋剤としては、例えば、アリルエーテル化合物が挙げられる。前記アリルエーテル化合物としては、例えば、アリルエーテル、糖のアリルエーテル、糖アルコールのアリルエーテル等が挙げられる。前記糖としては、例えば、スクロース等が挙げられる。前記糖アルコールとしては、例えば、ペンタエリスリトール等が挙げられる。
【００５７】
（Ｅ）成分としては、Ｒ５２が水素原子であるモノマー（ｅ１）の重合体、Ｒ５２が炭素数１〜９のアルキル基であるモノマー（ｅ１）の重合体又はその架橋体、Ｒ５５が水素原子でありＲ５４が炭素数１０〜３０のアルキル基であるモノマー（ｅ２）の重合体又はその架橋体、Ｒ５２が水素原子であるモノマー（ｅ１）と、Ｒ５５がカルボキシル基でありＲ５４が水素原子であるモノマー（ｅ２）との共重合体もしくはその架橋体、Ｒ５２が炭素数１〜９のアルキル基であるモノマー（ｅ１）と、Ｒ５５が水素原子でありＲ５４が炭素数１０〜３０のアルキル基であるモノマー（ｅ２）との共重合体もしくはその架橋体が好ましい。
【００５８】
本発明の衣料用洗剤が（Ｅ）成分を含有する場合、衣料用洗剤中の（Ｅ）成分の含有量は、衣料用洗剤の総質量に対して、０．０１〜１０質量％が好ましく、０．０５〜５質量％がより好ましく、０．１〜３質量％がさらに好ましい。
前記（Ｅ）成分／前記（Ａ）成分で表される質量比［（Ａ）成分の含有量に対する、（Ｅ）成分の含有量の質量割合、以下「Ｅ／Ａ比」ともいう］は、０．５〜１００が好ましく、１〜５０がより好ましい。Ｅ／Ａ比が上記下限値以上であると、再汚染防止効果が高められやすくなる。Ｅ／Ａ比が上記上限値以下であると、ふんわりとしたボリュームのある触感が維持されやすくなる。
【００５９】
（Ｅ）成分は、市場において容易に入手可能であり、また、公知の方法によっても合成可能である。
（Ｅ）成分の市販品としては、例えば、Ｌｕｂｒｉｚｏｌ社製のＣａｒｂｏｐｏｌ（登録商標）シリーズ、ＤＯＷ社製のＡＣＵＳＯＬ（登録商標）シリーズ、ＢＡＳＦ社製のＳｏｋａｌａｎ（登録商標）シリーズ等が挙げられる。
上記Ｃｏｒｂｏｐｏｌシリーズとしては、例えば、疎水化Ｃａｒｂｏｐｏｌ  ＥＴＤ  ２６２３、Ｃａｒｂｏｐｏｌ  １３８２（ＩＮＣＩ名：商品名Ａｃｒｙｌａｔｅｓ／Ｃ１０−３０  Ａｌｋｙｌ  Ａｃｒｙｌａｔｅ  Ｃｒｏｓｓｐｏｌｙｍｅｒ）、Ｃａｒｂｏｐｏｌ  Ａｑｕａ  ３０等が挙げられる。
上記ＡＣＵＳＯＬシリーズとしては、例えば、ＡＣＵＳＯＬ８１０、ＡＣＵＳＯＬ８２０、ＡＣＵＳＯＬ８３０等が挙げられる。
上記Ｓｏｋａｌａｎシリーズとしては、例えば、Ｓｏｋａｌａｎ  ＰＡ３０ＣＬ、Ｓｏｋａｌａｎ  ＣＰ７、Ｒｈｅｏｖｉｓ  ＡＴ１２０、Ｌｕｖｉｇｅｌ  ＦＩＴ  ＵＰ等が挙げられる。
【００６０】
＜その他の成分＞
本発明の衣料用洗剤は、必要に応じて、本発明の効果を損なわない範囲で、上記（Ａ）〜（Ｅ）成分以外の他の成分を含有することができ、例えば、高級脂肪酸塩、水混和性有機溶剤、溶媒、両性界面活性剤、金属イオン捕捉剤（キレート剤）、無機塩、酸化防止剤、プロテアーゼ、リパーゼ、セルラーゼ等の酵素、（Ａ）成分以外の風合い向上剤、アルカノールアミン等のアルカリビルダー、（Ａ）成分及び（Ｅ）成分以外の高分子ビルダー、ハイドロトロープ剤、シリコーン化合物、保存安定性向上剤、防腐剤、蛍光剤、移染防止剤、再汚染防止剤、パール剤、ソイルリリース剤、着香剤、着色剤、乳濁剤、天然物等のエキス、ｐＨ調整剤等が挙げられる。
【００６１】
高級脂肪酸塩は、炭素数８〜２２の脂肪酸塩を意味する。
本発明の衣料用洗剤は、高級脂肪酸塩を含有することで、すすぎ性を向上させることができる。
高級脂肪酸塩としては、炭素数１０〜２０の脂肪酸塩が好ましく、例えば、カプリル酸、カプリン酸、ラウリン酸、ミリスチン酸、パルミチン酸、ステアリン酸、イソステアリン酸、ヒドロキシステアリン酸、オレイン酸、ベヘン酸等の単一脂肪酸の塩、ヤシ油脂肪酸、牛脂脂肪酸等の混合脂肪酸の塩等が挙げられる。
これらの塩としては、ナトリウム、カリウム等のアルカリ金属塩、アンモニウム塩、モノエタノールアミン塩、ジエタノールアミン塩、トリエタノールアミン塩、２−アミノ−２−メチルプロパノール塩、２−アミノ−２−メチルプロパンジオール等のアルカノールアミン塩、リジン、アルギニン等の塩基性アミノ酸塩等が挙げられる。
【００６２】
高級脂肪酸塩は、いずれか１種が単独で用いられても、２種以上が組み合わされて用いられてもよい。
高級脂肪酸塩の含有量は、衣料用洗剤の総質量に対して、０．５〜８質量％が好ましく、１〜５質量％がより好ましい。高級脂肪酸塩の含有量が、上記下限値未満であると、すすぎ性が充分に得られない場合がある。また、上記上限値を超えると、低温での製剤安定性が損なわれる場合がある。
【００６３】
本発明の衣料用洗剤が液体洗剤である場合、製剤安定性が高められ、また、粘度を低下させられる点から、水混和性有機溶剤を含有することが好ましい。
水混和性有機溶剤としては、エタノール、１−プロパノール、２−プロパノール、１−ブタノール等のアルコール類、プロピレングリコール、ブチレングリコール、ヘキシレングリコール等のグリコール類、ジエチレングリコール、トリエチレングリコール、テトラエチレングリコール、重量平均分子量約２００〜１０００のポリエチレングリコール、ジプロピレングリコール等のポリグリコール類、ジエチレングリコールモノメチルエーテル、ジエチレングリコールモノエチルエーテル、ジエチレングリコールモノブチルエーテル（ブチルカルビトール）、ジエチレングリコールジメチルエーテル等のアルキルエーテル類等が挙げられる。
これらの中でも、臭気の少なさ、入手のしやすさ、液体洗剤とした場合の液安定性、流動性等から、エタノール、プロピレングリコール、ポリエチレングリコール、ジエチレングリコールモノブチルエーテル（ブチルカルビトール）が好ましい。
水混和性有機溶剤は、いずれか１種が単独で用いられても、２種以上が組み合わされて用いられてもよい。
水混和性有機溶剤の含有量は、衣料用洗剤の総質量に対して、３〜２０質量％が好ましい。
なお、本発明において、水混和性有機溶剤とは、２５℃のイオン交換水１Ｌに５０ｇ以上溶解する有機溶剤をいう。
【００６４】
また、本発明の衣料用洗剤が液体洗剤である場合、調製のしやすさ、使用する際の水への溶解性等の観点から、溶媒として水を含有することが好ましい。
液体洗剤とした場合の水の含有量は、（Ａ）〜（Ｃ）成分及びその他の任意成分の含有量に応じて適宜に設定できるが、通常、液体洗剤の総質量に対して、１０〜９０質量％であり、２０〜８０質量％が好ましい。
【００６５】
両性界面活性剤としては、例えばアルキルベタイン型、アルキルアミドベタイン型、イミダゾリン型、アルキルアミノスルホン酸型、アルキルアミノカルボン酸型、アルキルアミドカルボン酸型、アミドアミノ酸型、リン酸型等の両性界面活性剤が挙げられる。
【００６６】
本発明の衣料用洗剤が液体洗剤である場合、２５℃におけるｐＨが４〜１０であることが好ましく、ｐＨが４〜９であることがより好ましく、ｐＨが４〜８であることがさらに好ましい。ｐＨがこのような範囲にあると、衣料用洗剤の保存安定性を良好に維持できる。
衣料用洗剤のｐＨは、必要に応じて、ｐＨ調整剤を添加することにより調整できる。ｐＨ調整剤としては、本発明の効果を損なわない限りにおいて随意であるが、硫酸、水酸化ナトリウム、水酸化カリウム、アルカノールアミン等が好ましい。
【００６７】
また、本発明の衣料用洗剤が粉末洗剤である場合、その１質量％水溶液の２５℃におけるｐＨが８以上であることが好ましく、９〜１１であることがより好ましい。
なお、本明細書において、ｐＨは、測定対象を２５℃とし、ｐＨメーター（製品名：ＨＭ−３０Ｇ、東亜ディーケーケー株式会社製）により測定される値を意味する。
【００６８】
本発明の衣料用洗剤は、従来公知の液体洗剤または粉末洗剤等の製造方法により製造される。
【００６９】
液体洗剤の製造方法としては、例えば、溶媒である水に、（Ａ）〜（Ｃ）成分及び必要に応じて任意成分を加え、これを混合する方法が挙げられる。
【００７０】
粉末洗剤の製造方法としては、各原料を粉体混合するドライブレンド法、粉体原料を流動させながら造粒する乾式造粒法、粉体原料を流動させながら液体バインダーを噴霧して造粒する撹拌造粒法、原料を捏和してこれを押出機で押し出す押出造粒法、原料を捏和してこれを粉砕する粉砕造粒法、原料を含有するスラリーを噴霧乾燥する噴霧乾燥法等が挙げられる。
【００７１】
以上、説明したとおり、本発明の衣料用洗剤は、（Ａ）成分を特定の含有量で含有し、さらに（Ｂ）成分と（Ｃ）成分を含有するため、洗濯後の被洗物に、ふんわりとしたボリュームのある触感と、からっと乾いた触感の両方を付与することができる。
【実施例】
【００７２】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。
【００７３】
＜Ａ成分＞
Ａ−１：ジメチルジアリルアンモニウム・アクリルアミドコポリマー、Ｌｕｂｒｉｚｏｌ社製、商品名「マーコート５５０」。
Ａ−２：ジメチルジアリルアンモニウム・アクリルアミドコポリマー、Ｌｕｂｒｉｚｏｌ社製、商品名「マーコート７４０」。
Ａ−３：ジメチルジアリルアンモニウム・アクリルアミドコポリマー、Ｌｕｂｒｉｚｏｌ社製、商品名「マーコート２２００」。
Ａ−４：ジメチルジアリルアンモニウム・アクリルアミド・アクリル酸コポリマー、Ｌｕｂｒｉｚｏｌ社製、商品名「マーコート３９４０」。
【００７４】
＜Ｂ成分＞
Ｂ−１：ＭＥＥ、脂肪酸メチルエステルエトキシレート（脂肪酸の炭素数１６〜１８、ＥＯの平均付加モル数１５）、ライオンケミカル株式会社製、商品名「ＣＥＡＯ−９０」。
Ｂ−２：ポリオキシエチレンアルキル（炭素数１２〜１４）エーテル（ＥＯの平均付加モル数１５）、ライオンケミカル株式会社製、商品名「ＬＭＡＯ−９０」。
Ｂ−３：ポリオキシエチレンアルキル（炭素数１２〜１４）エーテル（ＥＯの平均付加モル数１２）、ライオンケミカル株式会社製、商品名「ＬＭＡＬ−９０」。
Ｂ−４：炭素数１２〜１４の第２級アルコールに対して、９モル相当のエチレンオキシドを付加したノニオン界面活性剤、株式会社日本触媒製、商品名「ソフタノール９０」。
Ｂ−５：炭素数１０〜１４の第１級アルコールに対して、５モル相当のエチレンオキシドと、２モル相当のプロピレンオキシドをブロック付加したノニオン界面活性剤。
【００７５】
＜Ｃ成分＞
Ｃ−１：直鎖アルキル（炭素数１０〜１４）ベンゼンスルホン酸ナトリウム、ライオン株式会社製、商品名「ライポンＬＨ−２００」。
Ｃ−２：ポリオキシエチレンアルキルエーテル硫酸ナトリウム（ＡＥＳ）、新日本理化株式会社製、商品名「シノリンＳＰＥ−１１５０」。
Ｃ−３：ポリオキシアルキレンアルキルエーテル硫酸エステルのモノエタノールアミン塩（ＡＥＰＳ）、常法により、１−ドデカノールに平均付加モル数１．０モルのプロピレンオキシドと、平均付加モル数２．０モルのエチレンオキシドをこの順に付加したのち、これを硫酸化しモノエタノールアミンで中和することにより製造したもの。
Ｃ−４：α−スルホ脂肪酸メチルエステル塩（特開平８−８１６９４号公報に記載の方法で合成されたもの。）
Ｃ−５：α−オレフィンスルホン酸ナトリウム（ライオン株式会社製、商品名「リポランＬＢ−８４０」。
【００７６】
＜（Ｄ）成分＞
Ｄ−１：３−（ドデシルチオ）−１−（２，６，６−トリメチルシクロヘキサ−３−エン−１−イル）−１−ブタノン。特表２００５−５１１７１０号公報の例４に記載の化合物。上記一般式（ｄ−１）における、Ｊが化学式（Ｊ−１）（３，４位間に二重結合を有する）で表される基、Ｇがドデシル基、Ｑが水素原子である化合物。
Ｄ−２：４−（ドデシルチオ）−４−（２，６，６−トリメチルシクロヘキサ−２−エン−１−イル）−２−ブタノン。原料としてドデカンチオール（東京化成工業株式会社製）とβヨノン（ヴェ・マンフィス香料株式会社製）とを用い、特表２００５−５１１７１０号公報の例４に記載の合成方法と同様にして合成した化合物。上記一般式（ｄ−１）における、Ｊが化学式（Ｊ−２）（１，２位間に二重結合を有する）で表される基、Ｇがドデシル基、Ｑが水素原子である化合物。
【００７７】
＜（Ｅ）成分＞
Ｅ−１：アクリル酸の重合体。ＢＡＳＦ社製、商品名「Ｓｏｋａｌａｎ  ＰＡ３０ＣＬ」。
Ｅ−２：アクリル酸とマレイン酸の共重合体。ＢＡＳＦ社製、商品名「Ｓｏｋａｌａｎ  ＣＰ７」。
Ｅ−３：アクリル酸アルキルとメタクリル酸アルキルとの共重合体の部分架橋体。Ｌｕｂｒｉｚｏｌ社製、商品名「Ｃａｂｏｐｏｌ  Ａｑｕａ３０」。
Ｅ−４：アクリル酸アルキルを含む高分子架橋体。ＤＯＷ社製、商品名「ＡＱＵＳＯＬ  ８２０」。
【００７８】
＜Ａ’成分、Ａ成分の比較成分＞
Ａ’−１：ステアリン酸アミドプロピルジメチルアミン［Ｃ１７Ｈ３５ＣＯＮＨ（ＣＨ２）３Ｎ（ＣＨ３）２］。
Ａ’−２：塩化アルキル（炭素数１２〜１４）トリメチルアンモニウム、ライオンアクゾ社製、商品名「アーカード１２−３７ｗ」。
Ａ’−３：カチオン化セルロース、ダウ・ケミカル社製、商品名「ＵＣＡＲＥ  ＪＲ−４００」。
Ａ’−４：カチオン化セルロース、ダウ・ケミカル社製、商品名「ＳＸ−４００Ｈ」。
Ａ’−５：カチオン化セルロース、ライオン株式会社製、商品名「レオガードＭＴＹ」。
【００７９】
＜その他の成分＞
シリコーン化合物：アミノポリエーテル変性シリコーン。東レ・ダウ・コーニング社製、商品名「ＢＹ１６−８９３」。
【００８０】
［任意成分Ｘ］
各成分の末尾に記載の数値は、衣料用洗剤中の含有量である。
・金属イオン補足剤（キレート剤）：クエン酸（一方社油脂工業株式会社製）・・・・０．１質量％。
・保存安定性向上剤：安息香酸ナトリウム（東亜合成株式会社製）・・・・１質量％。
・高級脂肪酸塩：ヤシ脂肪酸ナトリウム（日油株式会社製）・・・・２質量％。
・防腐剤：イソチアゾロン液（商品名「ケーソンＣＧ」、ローム・アンド・ハース社製）・・・・０．０１質量％。
・酸化防止剤：ジブチルヒドロキシトルエン（商品名「Ｋ−ＮＯＸ  ＢＨＴ」、Ｄｅｇｕｓｓａ社製）・・・・０．０４質量％。
・水混和性有機溶剤：エタノール（商品名「特定アルコール９５度合成」、日本アルコール販売株式会社製）・・・・８質量％、ブチルカルビトール（日本乳化剤株式会社製）・・・・３質量％。
・ｐＨ調整剤：水酸化ナトリウム（鶴見曹達株式会社製）・・・・適量、モノエタノールアミン（株式会社日本触媒製）・・・・適量。
・溶媒：水（精製水）・・・・バランス。
ｐＨ調整剤の含有量「適量」は、衣料用洗剤を表中のｐＨにするのに要した量である。
水の含有量「バランス」は、衣料用洗剤全体で１００質量％とするのに必要な量である。
【００８１】
［任意成分Ｙ］
各成分の末尾に記載の数値は、衣料用洗剤中の含有量である。
・高級脂肪酸塩：石けん（商品名「コウニュウ  Ｃノリ」、ライオンオレオケミカル社製）
・酵素：プロテアーゼ（商品名「サビナーゼ１２Ｔ」、ノボザイムズ社製）・・・・０．５質量％。
・無機塩：硫酸ナトリウム（日本化学工業株式会社製）・・・・２０質量％、炭酸カリウム（旭硝子株式会社製）・・・・５質量％、炭酸ナトリウム（旭硝子株式会社製）・・・・バランス。  
炭酸ナトリウムの含有量「バランス」は、衣料用洗剤全体で１００質量％とするのに必要な量である。
【００８２】
＜実施例１〜２６、比較例１〜９＞
［実施例１〜１６、１８〜２６、比較例１〜８］
表１〜４に示す組成に従い、水に、（Ａ）〜（Ｃ）成分及びその他の成分（水及びｐＨ調整剤を除く）を添加し混合した後、ｐＨ調整剤でｐＨを表中の値に調整して、実施例１〜１６，１８，２２、比較例１〜２の衣料用洗剤を得た。
（Ｄ）成分又は（Ｅ）成分をさらに添加したこと以外は上記と同様にして、実施例１９〜２１，２３〜２６の衣料用洗剤を得た。
（Ａ）成分に代えて、（Ａ’）成分を用いた以外は、上記と同様にして、比較例３〜８の衣料用洗剤を得た。
［実施例１７、比較例９］
（Ｃ）成分及び任意成分（酵素を除く）を、固形分６０質量％で含むスラリーとした。このスラリーを、７０℃で２時間撹拌した後、向流式噴霧乾燥塔で、水分が約６質量％となるまで乾燥（熱風温度２６０℃）して噴霧乾燥粉を得た。
上記噴霧乾燥粉に、（Ａ）成分を添加し、乾式混合した。乾式混合後の粉末に、（Ｂ）成分を噴霧し、次いで、酵素を添加した。これを混合して実施例１７の衣料用洗剤を得た。
また、（Ａ）成分に代えて、（Ａ’）成分を用いた以外は、上記と同様にして、比較例９の衣料用洗剤を得た。
表１〜２に、得られた各例の衣料用洗剤の組成（配合成分、含有量（質量％））を示す。
なお、実施例１〜１６，１８〜２６及び比較例１〜８の衣料用洗剤は液体洗剤であり、実施例１７及び比較例９の衣料用洗剤は粉末洗剤である。また、前記液体洗剤のうち、実施例１〜１１，１８〜２６及び比較例１〜６は、界面活性剤を高濃度で含有する濃縮タイプである。
表中、空欄の配合成分がある場合、その配合成分は配合されていない。
表中、実施例１６及び比較例９の衣料用洗剤のｐＨについては、該洗剤の１質量％水溶液のｐＨを意味する。
【００８３】
また、各例の衣料用洗剤について、ふんわりとしたボリュームのある触感及びからっと乾いた触感、洗浄力、製剤安定性及び再汚染防止効果を、以下のように評価した。評価結果を表１〜４に示す。
【００８４】
［ふんわりとしたボリュームのある触感及びからっと乾いた触感の評価（乾燥１日後の評価）］
全自動電気洗濯機（Ｈａｉｅｒ社製ＪＷ−Ｚ２３Ａ）に、市販のタオル（綿１００％）３枚、および浴比（洗濯水／被洗布総質量）を２０倍に調整するために、綿肌シャツ２枚（Ｂ．Ｖ．Ｄ．社製、全被洗布の総質量約６００ｇ）を投入し、各例の衣料用洗剤を添加し（実施例１〜１１，２２〜２６の衣料用洗剤及び比較例１〜６の衣料用洗剤は１０ｍＬ、実施例１２〜１５の衣料用洗剤及び比較例７〜８の衣料用洗剤は２５ｍＬ、実施例１７及び比較例９の衣料用洗剤は２０ｇ)、標準コースで洗浄、すすぎ、脱水を順次行う洗浄操作を行った。洗浄時間、すすぎ、脱水、水量（低水位に設定、水量約１２Ｌ）に関しては、一切調整せず、洗濯機の標準コース設定を使用した。洗濯終了後、取り出したタオルを２５℃、湿度６５％ＲＨの恒温恒湿室に１日放置して、これを試験布とした。試験布の「ふんわりとしたボリュームのある触感」及び「からっと乾いた触感」について、専門パネラー１０人が、下記判断基準による対照布との一対比較を行い採点した。専門パネラー１０人の採点結果の平均値を下記評価基準に分類して、それぞれの触感を評価した。それぞれの評価において、○、◎を合格とした。
なお、触感の評価は、上記恒温恒湿室（２０ｍ３の密閉空間）で行い、対照布としては、各例の衣料用洗剤に代えて、標準洗剤（ラウリルアルコール１モル当たり平均１５モルのエチレンオキシドを付加させたアルコールエトキシレートの２０質量％水溶液）を用いて、上記と同じ洗浄操作で処理したタオルを用いた。
ふんわりとしたボリュームのある触感及びからっと乾いた触感（乾燥１日後）の評価結果を表１，３〜４に示す。
【００８５】
≪ふんわりとしたボリュームのある触感の判断基準≫
１点：対照布と同等。
２点：対照布よりややボリュームがあり、ふんわりしている。
３点：対照布よりボリュームがあり、ふんわりしている。
４点：対照布よりかなりボリュームがあり、ふんわりしている。
５点：対照布より非常にボリュームがあり、ふんわりしている。
≪ふんわりとしたボリュームのある触感の評価基準≫
◎：４点以上。
○：３点以上４点未満。
×：３点未満。
【００８６】
≪からっと乾いた触感の判断基準≫
１点：対照布より湿った触感がする。
２点：対照布よりやや湿った触感がする。
３点：対照布と同等。
４点：対照布よりやや乾いた触感がする。
５点：対照布より乾いた触感がする。
≪からっと乾いた触感の評価基準≫
◎：４点以上。
○：３点以上４点未満。
×：３点未満。
【００８７】
［ふんわりとしたボリュームのある触感及びからっと乾いた触感の評価（乾燥２週間後の評価）］
実施例１８〜２１の衣料用洗剤１０ｍＬを添加して洗浄操作を行ったこと、洗濯終了後、取り出したタオルを２５℃、湿度６５％ＲＨの恒温恒湿室に２週間放置したものを試験布としたこと以外は、上記乾燥１日後の評価と同様にして、ふんわりとしたボリュームのある触感及びからっと乾いた触感（乾燥２週間後）を評価した。
評価結果を表２に示す。
【００８８】
［洗浄力評価］
洗浄力評価の汚垢布として、顔や首周りの垢汚れを綿布に擦り付けて作製した「顔垢布」を使用した。洗濯液は、水３０Ｌに対して、実施例１〜１１，１８〜２６の衣料用洗剤及び比較例１〜６の衣料用洗剤は１０ｍＬ、実施例１２〜１６の衣料用洗剤及び比較例７〜８の衣料用洗剤は２５ｍＬ、実施例１７及び比較例９の衣料用洗剤は２０ｇを、それぞれ分散・溶解して調製した。
Ｔｅｒｇ−Ｏ−ｍｅｔｅｒ（ＵＮＩＴＥＤ  ＳＴＡＴＥＳ  ＴＥＳＴＩＮＧ社製）を洗浄試験器として用い、上記の顔垢布１０枚と、洗浄メリヤス布と、前記洗濯液とを該洗浄試験器に入れ、浴比３０倍に合わせて、１２０ｒｐｍ、１５℃で１０分間洗浄した。
その後、二槽式洗濯機（三菱電機（株）製、品番：ＣＷ−Ｃ３０Ａ１−Ｈ１）に移し、１分間脱水後、水道水（１５℃、４°ＤＨ）３０Ｌ中で３分間濯ぎ、風乾した。
未洗浄の汚染布および洗浄後の汚染布について、それぞれ反射率を日本電色社製の色差計（製品名：ＳＥ２００型）で測定し、洗浄率（％）を以下の式で算出した。
洗浄率（％）＝（洗浄前の汚染布のＫ／Ｓ−洗浄後の汚染布のＫ／Ｓ）／（洗浄前の汚染布のＫ／Ｓ−未汚れ布のＫ／Ｓ）×１００。
ただし、Ｋ／Ｓは式：（１−Ｒ／１００）２／（２Ｒ／１００）で求められる値であり、Ｒは未汚れ布、洗浄前の汚染布または洗浄後の汚染布の反射率（％）である。
１０枚の汚染布について洗浄率（％）を算出し、その平均値を用いて、下記基準で判定し、○、◎を合格とした。
◎：７０％以上。
○：６０％以上７０％未満。
×：６０％未満。
【００８９】
［製剤安定性評価］
≪液体洗剤≫
液体洗剤（実施例１〜１６，１８〜２６、比較例１〜８）をそれぞれ円筒ガラス瓶に取り、蓋を閉めて５０℃の恒温槽で１か月間保存した。保存後の外観を目視で観察し、下記基準に基づいて製剤安定性を評価し、△、○を合格とした。
○：均一で分離がない。
△：均一だがやや濁りが見られる。
×：分離・析出が見られる。
≪粉末洗剤≫
外側からコートボール紙（坪量：３５０ｇ／ｍ２）、ワックスサンド紙（坪量：３０ｇ／ｍ２）、クラフトパルプ紙（坪量：７０ｇ／ｍ２）の３層からなる紙を用いて、長さ１５ｃｍ×幅９ｃｍ×高さ１２ｃｍの箱を作製した。この箱に粉末洗剤（実施例１７、比較例９）をそれぞれ１．０ｋｇずつ充填した。
上記粉末洗剤が充填された箱を、温度４０℃、相対湿度６０％ＲＨの恒温恒湿室内に１か月間保存した。保存後の粉末洗剤を、目開き５ｍｍの篩に通し、この篩を通らなかった粉末洗剤の質量を測定し、下記基準に基づいて製剤安定性を評価した。△、○を合格とした。
○：篩の上に残った粉末洗剤の質量が、篩にかけた粉末洗剤の総質量に対して５質量％以下。
△：篩の上に残った粉末洗剤の質量が、篩にかけた粉末洗剤の総質量に対して５質量％超〜１０質量％以下。
×：篩の上に残った粒状洗剤の質量が、篩にかけた粉末洗剤の総質量に対して１０質量％超。
【００９０】
［再汚染防止効果の評価］
実施例２２〜２６の衣料用洗剤を用いて、以下に示す洗浄工程、すすぎ工程、乾燥工程をこの順序で３回繰り返す洗濯処理を行った。
【００９１】
洗浄工程：
被洗物として、下記の綿布、ポリエステル（ＰＥ）布、湿式人工汚染布及び肌シャツを用いた。
綿布：再汚染判定布として綿メリヤス（谷頭商店製）５ｃｍ×５ｃｍを５枚。
ポリエステル（ＰＥ）布：再汚染判定布としてポリエステルトロピカル（谷頭商店製）５ｃｍ×５ｃｍを５枚。
湿式人工汚染布：財団法人洗濯科学協会製の汚染布（オレイン酸２８．３％、トリオレイン１５．６％、コレステロールオレート１２．２％、流動パラフィン２．５％、スクアレン２．５％、コレステロール１．６％、ゼラチン７．０％、泥２９．８％、カーボンブラック０．５％（質量比）の組成の汚れが付着した布）を２０枚。
肌シャツ：肌シャツ（ＬＬサイズ、ＤＶＤ社製）を細かく（３ｃｍ×３ｃｍ程度）裁断したもの。
Ｔｅｒｇ−ｏ−ｔｏｍｅｔｅｒ（ＵＮＩＴＥＤ  ＳＴＡＴＥＳ  ＴＥＳＴＩＮＧ社製）内に、２５℃の３°ＤＨ硬水９００ｍＬを入れ、ここに衣料用洗剤０．３ｇを加え、次いで、前記被洗物を入れた。その後、３°ＤＨ硬水を加えて浴比を２０倍に調整し、１２０ｒｐｍ、２５℃で１０分間洗浄した。
【００９２】
すすぎ工程：
洗浄後の被洗物を、１分間脱水した後、２５℃の３°ＤＨ硬水９００ｍＬを入れ、１２０ｒｐｍ、２５℃で３分間すすいだ。この操作（脱水、すすぎ）を２回繰り返した。２回目には、２５℃の３°ＤＨ硬水９００ｍＬに、所定量の柔軟剤を添加してすすぎを行った。柔軟剤には、部屋干しソフラン（ライオン株式会社製）を用いた。
【００９３】
乾燥工程：
すすいだ被洗物を１分間脱水した後、再汚染判定布（綿布）のみを取り出し、濾紙に挟み、アイロンで乾燥した。
【００９４】
反射率計（分光式色差計ＳＥ２０００、日本電色工業株式会社製）を用い、洗濯処理前後の再汚染判定布の反射率（Ｚ値）を測定し、下式よりΔＺを求めた。
ΔＺ＝（洗濯処理前のＺ値）−（洗濯処理後のＺ値）
綿布の再汚染判定布におけるΔＺについて、５枚の平均値を求めた。そして、この平均値を指標とした下記判定基準に従い、液体洗浄剤による綿布への再汚染防止効果を評価した。下記判定基準において、◎◎、◎及び○を合格とした。評価結果を表３に示す。
【００９５】
＜再汚染防止効果（対綿布）における判定基準＞
◎◎：ΔＺが１０未満。
◎：ΔＺが１０以上１５未満。
○：ΔＺが１５以上２０未満。
△：ΔＺが２０以上２５未満。
×：ΔＺが２５以上。
【００９６】
【表１】
0006501400.tif 000013
【００９７】
【表２】
0006501400.tif 000014
【００９８】
【表３】
0006501400.tif 000015
【００９９】
【表４】
0006501400.tif 000016
【０１００】
表１〜４に示す結果から、本発明を適用した実施例１〜２６の衣料用洗剤は、ふんわりとしたボリュームのある触感及びからっと乾いた触感を付与できることが確認できた。
一方、（Ａ）成分の含有量が０．０１質量％未満である衣料用洗剤（比較例１）、（Ａ）成分に代えて、ステアリン酸アミドプロピルジメチルアミン、塩化アルキルトリメチルアンモニウムを用いた衣料用洗剤（比較例３，４）は、からっと乾いた触感を付与できたが、ふんわりとしたボリュームのある触感を充分に付与することはできなかった。また、（Ａ）成分の含有量が５質量％を超える衣料用洗剤（比較例２）、（Ａ）成分に代えて、カチオン化セルロースを用いた衣料用洗剤（比較例５〜９）は、ふんわりとしたボリュームのある触感を付与できたが、からっと乾いた触感を充分に付与することはできなかった。すなわち、比較例の衣料用洗剤は、ふんわりとしたボリュームのある触感と、からっと乾いた触感の両方を付与できるものではなかった。
以上の結果から、本発明を適用した衣料用洗剤は、ふんわりとしたボリュームのある触感と、からっと乾いた触感の両方を付与できることが確認できた。